(57)【要約】【課題】仏壇の荘厳さを維持するとともに、金庫を盗難できないように収納する仏壇を提供すること。【解決手段】本体部１０と台座部３０とを有する仏壇１において、本体部１０の段下開きの中に金庫収納箱２０を配置する。金庫収納箱２０の組付中に金庫を収納して、収納した金庫の周りに上枠と下枠を金庫収納箱２０内に装着する。これによって、金庫収納箱２０の組付完了時には金庫を金庫収納箱から取り出すことができないように構成する。【選択図】図１
0003110798.tif 000002
【実用新案登録請求の範囲】
【請求項１】
開閉可能な前面ドアを有するとともに内部に仏具を収納する仏具収納部を有する本体部と、前記本体部を支持する台座部とを備える仏壇であって、
前記収納部の下部には金庫収納箱が前記本体部に固着して配設され、前記金庫収納箱内に、金庫が仏壇組付後に前記金庫収納箱に対して出入不可能となるように収納されていることを特徴とする仏壇。
【請求項２】
前記金庫収納箱は内部に中空部を有する框体状に形成され、前記金庫収納箱に収納される前記金庫の周りには、前記金庫の上面高さより低い位置で前記金庫を囲むように配置された上枠と前記金庫の下面高さより高い位置で前記金庫を囲むように配置された下枠が、前記金庫収納箱に配置されていることを特徴とする請求項１記載の仏壇。
【請求項３】
前記金庫収納箱の前面は開閉扉が配置されるとともに前記金庫は内部に出入可能な引き出し部を有し、前記開閉扉を開口の際、前記金庫収納箱の前面開口部が、前記金庫より小さくかつ前記金庫の引き出し部より大きく形成されていることを特徴とする請求項１又は２記載の仏壇。
【請求項４】
前記金庫は、前記引き出し部が前記金庫に収納される際に施錠可能に構成されていることを特徴とする請求項３記載の仏壇。
【考案の詳細な説明】
【技術分野】
【０００１】
本考案は、仏壇に関し、さらに詳しくは、金庫を収納可能な仏壇に関する。
【背景技術】
【０００２】
一般に、仏壇は、敷台・まくりを含む台座部と、宮殿・須弥段を収納する収納部及び前面を開閉可能なドアを有する本体部と、を備えて構成されている。台座部に配置されるまくりは、通常、開閉ドアを有して仏具を収納可能な収納部に形成されている。また、本体部における須弥段の下方には段枠と呼ばれる枠内に引き出し式あるいは前面に開閉可能なドアを有する収納部が形成され、やはり、仏具を収納可能としている。しかしこれらの収納部は、施錠式に形成されておらず内部の仏具を容易に取り出すことができることから、例えば、貴重品を収納しておくことは防犯上問題が残されていた。
【０００３】
一方、仏壇内に貴重品を収納することが一般的に要望されていることから、従来においては、金庫を収納可能な仏壇が出願されていた。例えば、特許文献１では、二重扉の構造を有する金庫型の仏壇が開示されている。しかし、この仏壇は、外観が金庫であり、扉を開くことによって内部に仏壇が配置されていることから、仏壇の荘厳さを得ることができず、主目的である「仏壇を飾る」ということが一見して解らないでいた。そのために外観を仏壇にして内部に金庫を収納した仏壇が特許文献２によって知られている。
【０００４】
これによると、図８に示すように、仏壇４０は、台座部４１において、まくり４２の部分に金庫収納室４５が設けられている。金庫収納室４５には金庫が収納可能に形成されるとともに、金庫収納室４５は金庫を外部から見えないようにするための開閉可能な前面扉を有して構成されていた。
【特許文献１】実用新案登録第３０２２４０９号公報（３〜５頁、図１〜２参照）
【特許文献２】実用新案登録第３１００７６１号公報（３頁、図１〜２参照）
【考案の開示】
【考案が解決しようとする課題】
【０００５】
しかし、特許文献２に示されている従来の仏壇４０は、前面扉の設置で金庫収納部４５に収納されている金庫は見えないものの、金庫自体が金庫収納部４５に出入不可能となるようには構成されていない。つまり、万が一、第３者が侵入して前面扉を開けることによって、金庫は自由に取り出されることから、金庫の盗難は容易に行なわれやすかった。
【課題を解決するための手段】
【０００６】
本考案は、上述の課題を解決するものであり、仏壇の荘厳さを維持した状態で盗難防止を図ることのできる仏壇を提供することを目的とするものであり、そのために本考案に係る仏壇は、
請求項１記載の考案では、開閉可能な前面ドアを有するとともに内部に仏具を収納する仏具収納部を有する本体部と、前記本体部を支持する台座部とを備える仏壇であって、
前記収納部の下部には金庫収納箱が前記本体部に固着して配設され、前記金庫収納箱内に、金庫が仏壇組付後に前記金庫収納箱に対して出入不可能となるように収納されていることを特徴とするものである。
【０００７】
請求項２記載の考案では、前記金庫収納箱は内部に中空部を有する框体状に形成され、前記金庫収納箱に収納される前記金庫の周りには、前記金庫の上面高さより低い位置で前記金庫を囲むように配置された上枠と前記金庫の下面高さより高い位置で前記金庫を囲むように配置された下枠が、前記金庫収納箱に配置されていることを特徴としている。
【０００８】
請求項３記載の考案では、前記金庫収納箱の前面は開閉扉が配置されるとともに前記金庫は内部に出入可能な引き出し部を有し、前記開閉扉を開口の際、前記金庫収納箱の前面開口部が、前記金庫より小さくかつ前記金庫の引き出し部より大きく形成されていることを特徴としている。
【０００９】
請求項４記載の考案では、前記金庫は、前記引き出し部が前記金庫に収納される際に施錠可能に構成されていることを特徴としている。
【考案の効果】
【００１０】
本考案に係る仏壇では、請求項１記載の考案によれば、金庫は、本体部の仏具収納部の下部に配設された金庫収納部内に収納されている。この金庫は、仏壇の組付時に金庫収納部に収納するため、仏壇組付後には金庫は金庫収納部に対して出入不可能の状態で収納することができる。そのため、万が一、第３者が侵入して金庫を盗もうとしても、金庫を取り出すことができず仏壇そのものを持ち出すことになるから、容易に金庫を盗難することができない。しかも、姿は仏壇であることから仏壇の荘厳さを維持できることとなる。
【００１１】
請求項２記載の考案によれば、金庫は、金庫収納部に装着された上枠と下枠によって、金庫収納部からの出入を制限される。つまり、金庫収納箱の組付時において、金庫収納箱に金庫を収納した後、上枠と下枠とを金庫収納部の内部に装着する。上枠の下面は金庫の上面より低い位置となり、下枠の上面は金庫の下面より高い位置となるから、一旦、金庫収納部に収納された金庫は、仏壇組付後、金庫収納部から取り出すことはできない。これによって、金庫の盗難防止を図ることができる。
【００１２】
請求項３記載の考案によれば、金庫収納部に収納された金庫は、金庫収納部の前面の開閉扉を開口した状態で、金庫の引き出し部が、金庫収納部の前面開口部内を出入可能に摺動する。これによって、金庫内に貴重品を収納したり取り出したりすることができる。
【００１３】
請求項４記載の考案によれば、金庫は、引き出し部が金庫内に収納された状態で施錠される。そのため、貴重品を確実に仏壇に収納しても盗難の虞れがない。あお、金庫の施錠は特に限定するものではなく、通常、市販されているものでよい。
【考案を実施するための最良の形態】
【００１４】
次に、本考案の仏壇の一形態を図面に基づいて説明する。実施形態で使用する仏壇は、白木仏壇における「小仏三方開御坊用」で説明するものとする。また、各部の名称も名古屋仏壇で使用されているもので説明するものとする。
【００１５】
図１は、仏壇１の正面斜視図、図２は斜視図を示すものであり、実施形態の仏壇１は、本体部１０と台座部３０とを有して構成されている。本体部１０は、天井壁１１、左右両側壁１２、１２、背壁１３に囲まれるとともに、前面上部に「差桝１４」に装着した「桝間彫１４１」を備えて内部が中空状に形成された仏具収納部１５が配置されている。仏具収納部１５には「宮殿１６」、「須弥段１７」等の仏具及び金庫収納箱２０が配置されている。金庫収納箱２０は、「段下開きの中」、つまり、仏具収納部１５内の下部で台座部３０の上面に配置されている。側壁１２は本体部１０の両側に立設された「半丸柱１８」の外側に両側を開閉可能に配置するとともに、前面を開閉する「前戸１９」を有している。
【００１６】
金庫収納箱２０は、図２及び図３〜４に示すように、上板２１、下板２２、背板２３、両側板２４を有して内部を中空状に形成し前方を開口可能な框体状に形成されている。上板２１は、後面が背壁１３に装着される「上段２１」として形成され、下板２２は、台座部３０の上面に配置される「中段２２」として形成されている。
【００１７】
「上段２１」の下面には、「上段２１」下面の四方縁部を連接する上枠２５を装着するとともに上枠２５の下面が「上段２１」の下面より低い位置に設定される。また、「中段２２」の上面には、「中段２２」上面の四方縁部を連接する下枠２６を装着するとともに下枠２６の上面が「中段２２」の上面より高い位置に設定される。そして四隅に上枠２５と下枠２６とを接続するように縦柱２７がそれぞれ立設され、左右各側板が４本の縦柱２７の両側外面に装着されている。
【００１８】
また、前面には、観音開き状に形成した開閉ドア２８が開閉可能に装着されている。開閉ドア２８が開いた状態では前面開口部２９の幅寸法は前方の縦柱２７、２７間の内幅寸法であり、高さ寸法は上枠と下枠の間の内幅寸法となる、なお、背板２３は、実施形態においては、本体部１０の背壁１３を兼用して使用する。勿論、背壁１３と別に背板２３を配置することもできる。
【００１９】
金庫収納箱２０に収納された金庫Ｋは、上面が金庫収納箱２０の上枠２５の下面より高い位置にあり、下面が下枠２６の上面より低い位置に配置されている。また、両側面は縦柱２７の内面より外側の位置に配置されている。そして、金庫Ｋを金庫収納箱２０の組付途中で金庫収納箱２０の中空部内に収納する。これによって、金庫Ｋを、一旦、金庫収納箱２０に収納すると、金庫収納部２０の組付完了時には、金庫Ｋ自体を取り出すことはできない。
【００２０】
また、金庫Ｋは、図５〜６に示すように、引き出し状の収納部Ｓを有して構成されている。収納部Ｓの前面の幅寸法と高さ寸法は、金庫収納箱２０の前面開口部２９の寸法より小さく形成されて、収納部Ｓを金庫収納箱２０の外側に向けて引き出すことができる。収納部Ｓは金庫収納箱２０の両内側に形成されたガイドＧによって前後方向に沿って直線上に移動される。これによって、金庫Ｋ内に貴重品を収納したり、取り出したりすることが可能となる。そして、収納部Ｓは、金庫Ｋ内に収納されたときに施錠可能に構成されている。
【００２１】
なお、金庫Ｋは、引き出し状の収納部Ｓが前後方向に移動できるものであれば特に限定するものではなく、また、施錠構造も特に限定するものではい。
【００２２】
台座部３０は、本体部１０を支持するように配置され、「敷台３１」と、「下台輪３２」と「台輪３３」とを有し、「下台輪３２」と「台輪３３」との間に「まくり３４」が形成され内部に仏具を収納可能に構成されている。
【００２３】
次に上記のように構成された仏壇、特に、貴重品を金庫Ｋに収納したり取り出したりする金庫収納箱２０の作用について説明する。
【００２４】
仏壇１を使用しないときには、図７（ａ）に示すように、金庫Ｋを施錠した後、金庫収納部２０の開閉ドア２８を閉め、その後、本体部１０の左右の前戸１９を閉める。
【００２５】
仏壇１を使用する際、まず、前戸１９を開けて宮殿１６、須弥段１７等を解放した状態にする。この際、金庫Ｋを開けて貴重品を収納したり取り出したりする場合には、図７（ｂ）に示すように、金庫収納箱２０の開閉ドア２８を開き、金庫Ｋを解錠した後、金庫Ｋの収納部Ｓを引き出して貴重品を収納する。貴重品を収納した後は、収納部Ｓを金庫内に収納しその状態で施錠することとなる。そして、開閉ドア２８を閉めることによって、外観が仏壇の姿をしていることから、第３者が、一見、内部に金庫Ｋが収納されているかどうかを判断できない。
【００２６】
上述のように、実施形態の仏壇１では、段下開きの中に金庫収納箱２０を設置するとともに金庫収納箱２０内に金庫Ｋを収納して貴重品を収納可能にしている。この際、金庫は、金庫収納箱２０の組付途中で収納し、上枠２１と下枠２２及び４隅に立設する縦柱２４を装着することによって金庫の出入を規制することから、金庫収納箱２０の組付完了時には、金庫収納箱２０から出入不可能の状態に収納することができる。従って、一端、金庫収納箱２０に収納された金庫Ｋを取り出すことができないことから、盗難防止を図ることができる。しかも全体の形状は仏壇の姿をしていることから、荘厳さを維持することができる。
【００２７】
なお、本考案の仏壇は上記の形態に限定するものではない。例えば、金庫の出入を規制する手段は、上枠２５、下枠２６及び縦柱２７によるものではなく、金庫を金庫収納箱に固定できるものであれば、ネジ止めやピン止めであってもよく、また、接着剤で固着してもよい。
【００２８】
さらに、この金庫収納箱２０を本体部１０の段下開きの中に配置できるものであれば、公知の他のタイプの仏壇であってもよい。
【図面の簡単な説明】
【００２９】
【図１】本考案の一形態による仏壇を示す正面から見た斜視図である。
【図２】同斜め前方から見た斜視図である。
【図３】図１における金庫収納箱の側面断面図である。
【図４】図１における金庫収納箱の正面断面図である。
【図５】図３における金庫を示す側面図である。
【図６】同正面図である
【図７】金庫収納部の開閉状態を示す作用図である。
【図８】従来の仏壇を示す正面図である。
【符号の説明】
【００３０】
１、仏壇
１０、本体部
１５、仏具収納部
１６、宮殿
１７、須弥段
２０、金庫収納箱
２１、上板（上段）
２２、下板（中段）
２５、上枠
２６、下枠
２７、縦柱
２８、前面ドア
３０、台座部
Ｋ、金庫
Ｓ、収納部
【図１】
0003110798.tif 000003
【図２】
0003110798.tif 000004
【図３】
0003110798.tif 000005
【図４】
0003110798.tif 000006
【図５】
0003110798.tif 000007
【図６】
0003110798.tif 000008
【図７】
0003110798.tif 000009
【図８】
0003110798.tif 000010